(57)【特許請求の範囲】
【請求項１】
化粧料を収納する合成樹脂製の容器本体と、この容器本体に一体的に取り付けられる鏡等の異質部材との組合せになる化粧料容器であって、
前記容器本体と異質部材とを接着構造体を介して固着してなり、
該接着構造体は、２つの表面に凹凸が形成されたベース層と、このベース層を両側に挟む粘着層とを備え、これら粘着層が水溶性の粘着層からなり、前記ベース層と前記水溶性の粘着層との相互間に、前記水溶性の粘着層を溶解させる液体を通す流路を配設してなることを特徴とする化粧料容器。
【請求項２】
化粧料を収納する合成樹脂製の容器本体と、この容器本体に一体的に取り付けられる鏡等の異質部材との組合せになる化粧料容器であって、
前記容器本体と異質部材とを接着構造体を介して固着してなり、
該接着構造体は、２つの表面に凹凸が形成されたベース層と、このベース層を両側に挟む粘着層とを備え、これら粘着層が水溶性の粘着層からなり、この凹凸側の水溶性の粘着層を前記容器本体と接触する表面及び前記異質部材と接触する表面にだけ配置することにより、前記ベース層と前記容器本体との相互間及び前記ベース層と前記異質部材との相互間に、前記水溶性の粘着層を溶解させる液体を通す流路を配設してなることを特徴とする化粧料容器。
【請求項３】
化粧料を収納する合成樹脂製の容器本体と、この容器本体に一体的に取り付けられる鏡等の異質部材との組合せになる化粧料容器であって、
前記容器本体と異質部材とを接着構造体を介して固着してなり、
該接着構造体は、２つの表面に溝が形成されたベース層と、このベース層を両側に挟む粘着層とを備え、これら粘着層が水溶性の粘着層からなり、前記ベース層と前記水溶性の粘着層との相互間に、前記水溶性の粘着層を溶解させる液体を通す流路を配設してなることを特徴とする化粧料容器。
【請求項４】
化粧料を収納する合成樹脂製の容器本体と、この容器本体に一体的に取り付けられる鏡等の異質部材との組合せになる化粧料容器であって、
前記容器本体と異質部材とを接着構造体を介して固着してなり、
該接着構造体は、２つの表面に溝が形成されたベース層と、このベース層を両側に挟む粘着層とを備え、これら粘着層が水溶性の粘着層からなり、この溝側の水溶性の粘着層を前記容器本体と接触する表面及び前記異質部材と接触する表面にだけ配置することにより、前記ベース層と前記容器本体との相互間及び前記ベース層と前記異質部材との相互間に、前記水溶性の粘着層を溶解させる液体を通す流路を配設してなることを特徴とする化粧料容器。
【請求項５】
前記ベース層は、吸水性のある材料もしくは水溶性の材料のうちの少なくとも１つよりなるものである、請求項１乃至４のいずれか１項に記載の化粧料容器。
【請求項６】
前記水溶性の粘着層は、ポリビニルアルコールを主成分とするものである、請求項１乃至５のいずれか１項に記載の化粧料容器。
【発明の詳細な説明】
【０００１】
【発明の属する技術分野】
本発明は、プラスチックと鏡、ガラスあるいは金属材など異質のものを相互に接続する接着構造体を備えた化粧料容器に関し、使用後の廃棄に際して異質な２つの部材を簡便な手法でもって相互に分離し、確実な分別回収を実現しようとするものである。
【０００２】
【従来の技術】
異質な２つの部材を相互に組合せたものとしては、プラスチックからなる筐体に鏡や金属材を貼り合わせた手鏡や化粧用コンパクト容器あるいは口紅を収納するケース等が知られており、この他にも日用品や家庭用品に数多く見られる。
【０００３】
これらのものは、ベース材の両面に粘着層を有する両面テープやホットメルトによって固着されているのが普通である。
【０００４】
ところで、近年、資源の有効活用を図る観点から、分別回収の要請が高まるなかで、例えば、合成樹脂製の容器本体と、鏡やガラスなどの異質部材との相互間を固着した化粧料容器につき、それら異質部材同士を分離して廃棄する必要があるところ、この場合、それらを相互に取り外すのは困難な構造となっている。そこで、この問題に対応すべく、水溶性の接着剤を使用した両面テープを用いた固着方法が利用されるようになってきている。しかしながら、この場合でも、部材間の密着性が高い場合、水の浸透性が悪く、分離に時間が掛かってしまう問題がある。
【０００５】
【発明が解決しようとする課題】
本発明の課題は、材質の異なる２つの部材同士を両面テープ等にて貼り合わせた組合せ体において、各部材を簡便に分離して分別回収することができる新規な接着構造体を備えた化粧料容器を提案するところにある。
【０００６】
【課題を解決するための手段】
本発明は、化粧料を収納する合成樹脂製の容器本体と、この容器本体に一体的に取り付けられる鏡等の異質部材との組合せになる化粧料容器であって、前記容器本体と異質部材とを接着構造体を介して固着してなり、該接着構造体は、２つの表面に凹凸が形成されたベース層と、このベース層を両側に挟む粘着層とを備え、これら粘着層が水溶性の粘着層からなり、前記ベース層と前記水溶性の粘着層との相互間に、前記水溶性の粘着層を溶解させる液体を通す流路を配設してなることを特徴とするものである。
【０００７】
また、本発明は、化粧料を収納する合成樹脂製の容器本体と、この容器本体に一体的に取り付けられる鏡等の異質部材との組合せになる化粧料容器であって、前記容器本体と異質部材とを接着構造体を介して固着してなり、該接着構造体は、２つの表面に凹凸が形成されたベース層と、このベース層を両側に挟む粘着層とを備え、これら粘着層が水溶性の粘着層からなり、この凹凸側の水溶性の粘着層を前記容器本体と接触する表面及び前記異質部材と接触する表面にだけ配置することにより、前記ベース層と前記容器本体との相互間及び前記ベース層と前記異質部材との相互間に、前記水溶性の粘着層を溶解させる液体を通す流路を配設してなることを特徴とするものである。
【０００８】
また、本発明は、化粧料を収納する合成樹脂製の容器本体と、この容器本体に一体的に取り付けられる鏡等の異質部材との組合せになる化粧料容器であって、前記容器本体と異質部材とを接着構造体を介して固着してなり、該接着構造体は、２つの表面に溝が形成されたベース層と、このベース層を両側に挟む粘着層とを備え、これら粘着層が水溶性の粘着層からなり、前記ベース層と前記水溶性の粘着層との相互間に、前記水溶性の粘着層を溶解させる液体を通す流路を配設してなることを特徴とするものである。
【０００９】
また、本発明は、化粧料を収納する合成樹脂製の容器本体と、この容器本体に一体的に取り付けられる鏡等の異質部材との組合せになる化粧料容器であって、前記容器本体と異質部材とを接着構造体を介して固着してなり、該接着構造体は、２つの表面に溝が形成されたベース層と、このベース層を両側に挟む粘着層とを備え、これら粘着層が水溶性の粘着層からなり、この溝側の水溶性の粘着層を前記容器本体と接触する表面及び前記異質部材と接触する表面にだけ配置することにより、前記ベース層と前記容器本体との相互間及び前記ベース層と前記異質部材との相互間に、前記水溶性の粘着層を溶解させる液体を通す流路を配設してなることを特徴とするものである。
【００１０】
本発明である化粧料容器において、前記ベース層は、吸水性のある材料もしくは水溶性の材料のうちの少なくとも１つよりなるものであることが好ましい。
【００１１】
また、本発明である化粧料容器において、前記水溶性の粘着層は、ポリビニルアルコールを主成分とするものであることが好ましい。
【００１２】
【発明の実施の形態】
以下、図面を参照して本発明をより具体的に説明する。
図１は本発明に従う化粧料容器に採用される接着構造体の第１実施形態を、材質の異なる２つの部材である筐体とこの筐体に貼り付ける金属プレートとを例にして模式的に示したものであり、図２は、接着構造体を構成するベース層を示す斜視図である。
【００１３】
図１において符号１は接着構造体、符号２は異質部材である金属プレート、そして符号３は金属プレート２を固着するための例えばプラスチックの如き合成樹脂からなる筐体である。接着構造体１は、ベース層１ａとこのベース層１ａを両側に挟む粘着層１ｂを備えるものであって、該粘着層１ｂの両方もしくは一方が水溶性の粘着層からなっている。
【００１４】
ベース層１ａは、図２に示す如く、ベース層１ａの表面に曲線的な凹凸が形成された波形フィルムである。接着構造体１は、ベース層１ａの波形凹凸によって、図１に示す如く、ベース層１ａと水溶性の粘着層１ｂとの間に水溶性の粘着層１ｂを溶解させる液体（一般的には水）が流通する流路Ｒ1を形成する。
【００１５】
金属プレート２は、接着構造体１を介して筐体３の上に配置することにより、筐体３に対して強固に固着されることになる。
【００１６】
筐体３から金属プレート２を取り外すには、接着構造体１に適量の水をかけるか、あるいは接着構造体１そのものを水の中に入れる。
【００１７】
そうすると、水がベース層１ａと水溶性粘着層１ｂとの間に形成された流路Ｒ1内を流通して水溶性粘着層１ｂへ浸透することにより、粘着層１ｂがしだいに溶けていき、金属プレート２と筐体３とは簡単に分離することになる。
【００１８】
本発明において接着構造体１を構成するベース層１ａとしては、水が全く浸透しないＰＥＴやポリプロピレン等のフィルム材料が使用できるが、水が浸透しやすい多孔質材、スポンジ材、不織布あるいは布を用いることも可能であり、このようなベース層１ａによれば、水がベース層１ａを通して粘着層１ｂに浸透していき、該粘着層１ｂの溶解が促進され、短時間で異質部材を分離することができる。
【００１９】
ベース層１ａとしてとくにクッション材を用いた場合、取り外すべき対象物を、水の中で複数回にわたり押圧することによってベース層１ａへの水の浸透を促進させることができ、その結果として粘着層１ｂの溶解時間をより一層短縮される。
【００２０】
図３は本発明に従う化粧料容器の容器本体の外観斜視図である。また、図４（ａ），（ｂ）は、図１の接着構造体１を図３の化粧料容器に採用した際の断面図であり、図４（ｂ）は、図４（ａ）の領域Ｘを示す要部拡大図である。容器本体は、図３に示す如く、合成樹脂にて構成することができるものであり、化粧料を収納する収納部４と、この収納部４にヒンジを介して揺動可能に連結する蓋体５からなっている。また、符号６は蓋体５の裏面に配置した例で示した異質部材である鏡であり、この鏡６は図４に要部を示す如く、接着構造体１によって蓋体５に強固に固着されている。
【００２１】
上掲図３に示したような構成になる化粧料容器においては、その化粧料容器を廃棄するに当たり、それそのものを水の中に入れると、流路Ｒ1を流通する水が水溶性の粘着剤１ｂに浸透して水溶性の粘着剤１ｂを溶解し、鏡６が蓋体５から外れることになる。特に、クッション性のあるスポンジ材をベース層１ａに用いる場合、化粧料容器を水の中に入れて鏡６を複数回押圧すると、接着構造体１の粘着層１ｂは勿論のこと、ベース層１ａに水が浸透していき、粘着層１ｂは比較的短時間で溶解され、鏡６が蓋体５から外れることになる。
【００２２】
また、ベース層１ａは、吸水性の高いものを使用するか、あるいは水溶性の紙やフィルム等を使用することも可能である。
【００２３】
本発明では、接着構造体１をベース層１ａとして単層の波形フィルムを用いて説明したが、本発明はこれにのみ限定されるものではなく、積層フィルムを使用する等、態様は適宜に変更できる。
【００２４】
図５は、本発明である化粧料容器において採用されるベース層の他の実施形態を示す斜視図である。また、図６（ａ），（ｂ）は、このベース層を用いた接着構造体１０を図３の化粧料容器に採用した際の断面図であり、図６（ｂ）は、図６（ａ）の領域Ｘを示す要部拡大図である。
【００２５】
ベース層１０ａは、図５に示す如く、表面に直線的な凹凸が形成されたフィルムであり、図６に示す如く、ベース層１０ａと水溶性の粘着層１０ｂとの間に液体が流通する流路Ｒ2を形成する。このため、接着構造体１０に適量の水をかけるか、あるいは接着構造体１０そのものを水の中に入れると、流路Ｒ2を流通する水が水溶性の粘着層１０ｂに浸透して水溶性の粘着層１０ｂを溶解し、鏡６が蓋体５から外れることになる。
【００２６】
図７は、本発明である化粧料容器において採用されるベース層の他の実施形態を示す斜視図である。また図８（ａ）は、このベース層を用いた接着構造体１１を図３の化粧料容器に採用した際の断面図であり、図８（ｂ）は、図８（ａ）の領域Ｘを示す要部拡大図である。
【００２７】
ベース層１１ａは、図７に示す如く、表面に小さな凹凸が形成されたフィルムであり、図８に示す如く、ベース層１１ａと水溶性の粘着層１１ｂとの間に液体が流通する流路Ｒ3を形成する。このため、接着構造体１１に適量の水をかけるか、あるいは接着構造体１１そのものを水の中に入れると、流路Ｒ3を流通する水が水溶性の粘着層１１ｂに浸透して水溶性の粘着層１１ｂを溶解し、鏡６が蓋体５から外れることになる。
【００２８】
図９は、本発明である化粧料容器において採用されるベース層の他の実施形態を示す斜視図である。また図１０（ａ）は、このベース層を用いた接着構造体１３を図３の化粧料容器に採用した際の断面図であり、図１０（ｂ）は、図１０（ａ）の領域Ｘを示す要部拡大図である。
【００２９】
ベース層１３ａは、図９に示す如く、その表裏両面に溝が形成されたシート材であり、図１０に示す如く、ベース層１３ａと水溶性の粘着層１３ｂとの間に液体が流通する流路Ｒ5を形成する。このため、接着構造体１３に適量の水をかけるか、あるいは接着構造体１３そのものを水の中に入れると、流路Ｒ5を流通する水が水溶性の粘着層１３ｂに浸透して水溶性の粘着層１３ｂを溶解し、鏡６が蓋体５から外れることになる。
【００３０】
図５〜１０で説明したベース層それぞれも、水が全く浸透しないＰＥＴやポリプロピレン等のフィルム材料が使用できるが、前述の通り、水が浸透しやすい多孔質材、スポンジ材、紙、不織布あるいは布などの吸水性の高いものを使用するか、あるいは水溶性の紙やフィルム等を使用することも可能である。
【００３１】
またベース層（１ａ，１０ａ，１１ａ，１３ａ）を挟む水溶性の粘着層（１ｂ，１０ｂ，１１ｂ，１３ｂ）は、ベース層全体を覆う層ではなく、例えば、図１１〜図１４に示す如く、筐体３、金属プレート２、鏡６などと直接接触するベース層の表面部分にだけ設けてもよい。
【００３２】
なお、水溶性の粘着層（１ｂ，１０ｂ，１１ｂ，１３ｂ）については、例えば、ＰＶＡ（ポリビニルアルコール）を主成分とする粘着剤が挙げられるが、とくに水溶性のものであればその成分に限定されることはない。
【００３３】
【発明の効果】
本発明によれば、材質の異なる２つの部材の相互間に介在させてそれらを固着させる接着構造体を備える化粧料容器において、材質の異なる２つの部材を簡単に分離することができるので、種類の異なる部材の分別回収を確実に行うことが可能となり資源の有効活用のみならず、廃棄物の処理が容易になる。また、ベース層は、液体が流通する流路を形成するため、吸水性のある給水材質に限らない様々な材質から用途に応じて製造することができる。
【図面の簡単な説明】
【図１】  本発明に従う化粧料容器に採用される接着構造体の一実施形態の外観を示した図である。
【図２】  上記実施形態に従う接着構造体の一部を構成するベース層を示す斜視図である。
【図３】  本発明に従う化粧料容器の外観構成を示した図である。
【図４】  （ａ），（ｂ）は図２に示した容器の要部の断面図および拡大断面図である。
【図５】 本発明である化粧料容器において採用されるベース層の他の実施形態を示す斜視図である。
【図６】  （ａ），（ｂ）は、図５のベース層を用いた接着構造体を上記図３の容器に採用した際の断面図および拡大断面図である。
【図７】 本発明である化粧料容器において採用されるベース層の他の実施形態を示す斜視図である。
【図８】  （ａ），（ｂ）は、図７のベース層を用いた接着構造体を上記図３の容器に採用した際の断面図および拡大断面図である。
【図９】 本発明である化粧料容器において採用されるベース層の他の実施形態を示す斜視図である。
【図１０】  （ａ），（ｂ）は、図９のベース層を用いた接着構造体を上記図３の容器に採用した際の断面図および拡大断面図である。
【図１１】  図２における本発明に従う水溶性粘着層の他の構成例を示した斜視図である。
【図１２】 図５における本発明に従う水溶性粘着層の他の構成例を示した斜視図である。
【図１３】 図７における本発明に従う水溶性粘着層の他の構成例を示した斜視図である。
【図１４】 図９における本発明に従う水溶性粘着層の他の構成例を示した斜視図である。
【符号の説明】
１  接着構造体
１ａ  ベース層
１ｂ  粘着層
２  金属プレート
３  筐体
４  収納部
５  蓋体
６  鏡
１０ａ  ベース層
１０ｂ  粘着層
１１ａ  ベース層
１１ｂ  粘着層
１３ａ  ベース層
１３ｂ  粘着層
【図１】
0003839675.tif 000002
【図２】
0003839675.tif 000003
【図３】
0003839675.tif 000004
【図４】
0003839675.tif 000005
【図５】
0003839675.tif 000006
【図６】
0003839675.tif 000007
【図７】
0003839675.tif 000008
【図８】
0003839675.tif 000009
【図９】
0003839675.tif 000010
【図１０】
0003839675.tif 000011
【図１１】
0003839675.tif 000012
【図１２】
0003839675.tif 000013
【図１３】
0003839675.tif 000014
【図１４】
0003839675.tif 000015